(57)【要約】      （修正有）【課題】写真などの画像表示に関してプライバシ機能を高めた情報処理装置を提供する。【解決手段】表示画面に文字情報や画像を表示する情報処理装置であって、画面に文字情報や画像を表示する表示部４の表示を制御する制御部８を備える。制御部８は、表示部４の画面ロックやディスプレイ消灯からの復帰前に、画面に表示される領域に画像が含まれていると判断すると、当該画像が含まれない領域を表示するように制御する。【選択図】図１
2015215856.tif 000002
【特許請求の範囲】
【請求項１】
画面に文字情報や画像を表示する表示装置であって、
画面に文字情報や画像を表示する表示部と、
前記表示部の画面ロックやディスプレイ消灯からの復帰前に、前記画面に表示される領域に画像が含まれていると判断すると、当該画像が含まれない領域を表示するように制御する制御部と、
を備えることを特徴とする表示装置。
【請求項２】
前記制御部は、前記画面に表示される領域に画像が含まれていると判断すると、前記画像の表示開始から所定時間の経過後、当該画像が含まれない領域を表示するように制御することを特徴とする請求項１に記載の表示装置。
【請求項３】
前記制御部は、前記画面に表示される領域に画像が含まれていると判断すると、前記表示部の画面ロックやディスプレイ消灯に移行前に、当該画像が含まれない領域を表示するように制御することを特徴とする請求項１に記載の表示装置。
【請求項４】
画面に文字情報や画像を表示する処理をコンピュータに実行させる表示制御プログラムであって、
画面ロックやディスプレイ消灯からの復帰前に、前記画面に表示される領域に画像が含まれているかを判断し、
当該画像が含まれない領域を表示するように制御する
処理を前記コンピュータに実行させるための表示制御プログラム。
【請求項５】
前記画面に表示される領域に画像が含まれていると判断すると、前記画像の表示開始から所定時間の経過後、当該画像が含まれない領域を表示するように制御する
処理を前記コンピュータに実行させるための請求項４に記載の表示制御プログラム。
【請求項６】
前記画面に表示される領域に画像が含まれていると判断すると、前記表示部の画面ロックやディスプレイ消灯に移行前に、当該画像が含まれない領域を表示するように制御する処理を前記コンピュータに実行させるための請求項４に記載の表示制御プログラム。
【発明の詳細な説明】
【技術分野】
【０００１】
本開示の技術は、画像を含む情報表示をする表示装置および表示制御プログラムに関する。
【背景技術】
【０００２】
携帯電話機などで送受されるメールには文字情報の他、写真などの画像が貼付されて送受される場合がある。この写真などの画像が文字情報とともに画面に表示される。
【０００３】
このような携帯電話機などの表示に関し、ユーザ以外の第三者に見られたくないメールを非表示に設定し、当該メールが非表示か否かを判定し、非表示メールであれば、非表示とすることが知られている（特許文献１）。
【先行技術文献】
【特許文献】
【０００４】
【特許文献１】特開２００２−３７３１４０号公報
【発明の概要】
【発明が解決しようとする課題】
【０００５】
ところで、表示画面に写真などの画像を表示した状態で画面ロックまたはディスプレイ消灯が行われていた場合、この画面やディスプレイを復帰させると、画面ロック前またはディスプレイ消灯前に表示されていた画像が表示されてしまう。つまり、見られたくない画像を視認可能な状態で、画面やディスプレイの表示を復帰させた場合には、その画像がユーザ以外の第三者に容易に視認され、ユーザのプライバシが損なわれるという課題がある。
【０００６】
そこで、本開示の技術の目的は、写真などの画像表示に関し、プライバシ機能を高めることにある。
【課題を解決するための手段】
【０００７】
上記目的を達成するため、本開示の技術の一側面によれば、画面に文字情報や画像を表示する表示装置であって、画面に文字情報や画像を表示する表示部の表示を制御する制御部が備えられる。この制御部は、前記表示部の画面ロックやディスプレイ消灯からの復帰前に、前記画面に表示される領域に画像が含まれていると判断すると、当該画像が含まれない領域を表示するように制御する。
【発明の効果】
【０００８】
本開示の技術によれば、画面ロックやディスプレイ消灯前に表示された画像が画面ロックやディスプレイ消灯から復帰させた表示では非表示となるので、その画像が第三者に見られることを防止でき、ユーザのプライバシ保護が図られる。
【図面の簡単な説明】
【０００９】
【図１】第１の実施の形態に係る表示装置の一例を示す図である。
【図２】表示装置の表示制御処理の一例を示すフローチャートである。
【図３】第２の実施の形態に係る表示装置の一例である情報処理装置の構成例を示す図である。
【図４】メール本文およびメール全表示画像の一例を示す図である。
【図５】メール全表示画像および表示画像の一例を示す図である。
【図６】メール全表示画像に対する遷移前後の表示画像を示す図である。
【図７】メモリの構成例を示す図である。
【図８】実施例１に係る表示画面の推移を示す図である。
【図９】実施例１に係る画面ロック監視を含む処理手順を示すフローチャートである。
【図１０】実施例１に係る画面ロック前のスクロールの処理手順を示すフローチャートである。
【図１１】実施例１に係る画像表示判定の処理手順を示すフローチャートである。
【図１２】実施例２に係る表示画面の推移を示す図である。
【図１３】実施例２に係る画面ロック監視を含む処理手順を示すフローチャートである。
【図１４】実施例２に係る画面ロック解除前のスクロールの処理手順を示すフローチャートである。
【図１５】画面ロック監視を含む処理手順の変形例を示すフローチャートである。
【図１６】画面ロック監視の処理手順の変形例を示すフローチャートである。
【発明を実施するための形態】
【００１０】
〔第１の実施の形態〕
【００１１】
図１は、第１の実施の形態に係る表示装置を示している。図１に示す構成は一例であり、斯かる構成に本開示の表示装置が限定されるものではない。
【００１２】
この表示装置２は、画像などの可視情報を表示する。この表示装置２には一例として、表示部４、入力部６および制御部８が備えられる。
【００１３】
表示部４はたとえば、ディスプレイの画面に電子メール情報などの可視情報を表示する。この可視情報には文字情報や画像が含まれる。ディスプレイの画面には一定量の可視情報を表示する領域が表示され、制御部８の制御により、画像および文字情報を含む領域、または画像を含まない文字情報のみの領域が表示される。
【００１４】
入力部６は、表示部４の画面ロックやディスプレイ消灯からの復帰などの入力を行う。画面ロックはたとえば、画面を表示するロック制御であればよい。
【００１５】
制御部８は、所定のタイミングで、表示部４の画面に表示される領域に画像が含まれているかを判断し、その領域に画像が含まれている場合には画像が含まれない領域を表示する表示制御を行う。この制御部８では、表示部４の画面ロックやディスプレイ消灯からの復帰前に、表示部４の画面に表示される領域に画像が含まれているかが判断される。そして、表示部４の画面に表示される領域に画像が含まれている場合には、当該画像が含まれない領域を表示するように表示部４の表示を制御する。
【００１６】
図２は、表示装置２の表示制御の処理手順の一例を示している。この処理は、本開示の表示制御プログラムの処理手順の一例である。
【００１７】
この処理手順では、画面ロックまたはディスプレイ消灯からの復帰かを判断する（Ｓ１）。画面ロックやディスプレイ消灯からの復帰であれば（Ｓ１のＹＥＳ）、表示部４の画面の表示領域に画像が含まれているかを判断する（Ｓ２）。この場合、表示領域は、画像や文字情報が表示される画面領域であればよい。
【００１８】
表示部４の画面の表示領域に画像が含まれていれば（Ｓ２のＹＥＳ）、表示制御を行う（Ｓ３）。この表示制御では、当該画像が含まれない領域を表示するように表示情報を制御する。そして、画面の表示領域に画像が含まれていない表示を行う（Ｓ４）。
【００１９】
表示部４の画面の表示領域に画像が含まれていなければ（Ｓ２のＮＯ）、表示制御（Ｓ３）を行うことなく表示を行う（Ｓ５）。この表示制御には、表示画面のスクロールが含まれる。
【００２０】
表示制御（Ｓ３）は、可視情報として画像が表示領域に表示されなければよく、たとえば、画面ロックやディスプレイ消灯からの復帰前の時点または、画面ロックやディスプレイ消灯に至る時点のいずれのタイミングでもよい。
【００２１】
この実施の形態によれば、画面ロックまたはディスプレイ消灯からの復帰前に画面の表示領域から画像が含まれていない領域に表示内容を制御するので、画面ロックまたはディスプレイ消灯から復帰した際に画像が画面に表示されない。したがって、表示情報に画像が含まれていても、ユーザ以外の第三者に画像を視認されることがなく、プライバシ保護が図られる。
【００２２】
〔第２の実施の形態〕
【００２３】
図３は、第２の実施の形態に係る表示装置の一例として情報処理装置のハードウェア構成例を示している。
【００２４】
この情報処理装置１０は、携帯電話機、ＰＤＡ（Personal Digital Assistant）、スマートフォン、腕時計、ゲーム装置、オーディオ再生装置、映像再生装置などの移動携帯端末や、ノートパソコン、タブレット端末などのモバイル機器であってもよいし、ＰＣ（パーソナルコンピュータ）などの据え置き型の機器であってもよい。
【００２５】
この情報処理装置１０には一例として、プロセッサ１２、記憶部１４、通信部１６、表示部４および入力部６が備えられる。
【００２６】
プロセッサ１２は、データ処理装置であり、記憶部１４に記憶されているプログラムを実行し、情報処理装置１０の動作制御などの各種の情報処理を実行する。記憶部１４は、情報処理装置１０の動作制御などを実行するためのコンピュータプログラムやデータなどを記憶している。この記憶部１４にはメモリなどの記憶装置、ハードディスクなどの補助記憶装置を含んでもよい。
【００２７】
通信部１６は、有線回線または無線回線により各種機器との通信に用いられるインターフェースや通信デバイスであり、たとえば、文字情報や画像情報を含む電子メールの送受信に用いられる。
【００２８】
表示部４は、文字情報や画像情報などの可視情報を表示する。この表示部４には各種の表示装置たとえば、ＣＲＴ（Cathode Ray Tube）、ＬＣＤ（Liquid Crystal Display）、有機ＥＬ（Electro Luminescence）ディスプレイのいずれであってもよい。
【００２９】
入力部６は、ユーザの操作入力を受け付ける。この入力部６はキーボード、テンキー、マウス、タッチパッド、タッチパネルのいずれであってもよい。この入力部６は、タッチパネルを表示部４のディスプレイ画面に備えるタッチディスプレイであってもよい。この入力部６には、画面ロックボタン１８が含まれる。この画面ロックボタン１８は、表示中の画面に対する画面ロックを行う際に押下する。
【００３０】
図４は、メール本文およびメール全表示画像の一例を示している。メール本文２０には、図４のＡに示すように、表示部４の画面に表示される文字情報および画像情報を表す情報が含まれる。このメール本文２０には一例として、テキスト部としてテキスト１行、テキスト２行・・・テキストＮ行を含む複数行のテキスト、画像の添付および添付数を示す添付画像１および添付画像２が含まれている。
【００３１】
このメール本文２０を表示部４の表示形態として具体化すれば、図４のＢに示すように、メール全表示画像２２としてテキスト部２４、画像２６−１の添付画像１、画像２６−２の添付画像２が表示される。この場合、画像２６−１の添付画像１、画像２６−２の添付画像２はそれぞれたとえば、３６０×２００〔ドット〕の大きさを持っている。この例では、テキスト１行目の手前位置をスクロール方向の基準位置として画像開始位置Ｙ０＝０とする。このＹ０＝０はＹ座標の０位置を示している。この例ではテキスト１行目からテキストＮ行目までの範囲を超え、Ｇ１＝１５０が添付画像１の画像表示開始位置、Ｙ２＝２００が添付画像１の画像表示終了位置であり、ＹＥ＝２６０が添付画像２の画像表示終了位置である。この場合、メール全表示画像２２は、Ｙ０〜ＹＥ＝２６０の範囲が含まれる。
【００３２】
図５は、メール全表示画像２２および表示部４の表示画像の一例を示している。図５のＡに示すように、Ｙ０〜ＹＥ＝２６０の範囲であるメール全表示画像２２に対し、表示部４の表示画像２８は図５のＢに示すように、表示画像２８の表示開始位置をＹ１、その表示終了位置をＹ２とすれば、Ｙ座標位置のＹ１〜Ｙ２＝１００である。この例では、表示部４の表示画像２８にはテキスト部２４から抽出されたテキストＪ行目〜テキストＮ行目のテキスト部２４−１および画像２６−１（＝添付画像１）が表示されている。つまり、テキスト部２４−１および画像２６−１が表示部４の最大表示範囲である。
【００３３】
図６は、メール全表示画像２２および表示部４の遷移前後の表示の一例を示している。図６のＡ、Ｂは、図５のＡ、Ｂに対応している。表示遷移前では、図６のＢに示すように、Ｙ１〜Ｙ２＝１００の範囲でテキストＪ行目〜テキストＮ行目のテキストおよび添付画像１が表示部４の表示画像２８である。これに対し、表示遷移後では図６のＣに示すように、表示部４の表示画像２８から添付画像１が表示範囲外に遷移し、テキスト４行目〜テキストＮ行目が抽出されたテキスト部２４−２のみの表示に制御される。
【００３４】
このような表示部４の画面の表示範囲に画像を含む場合に画像を表示範囲外に制御する表示形態にはたとえば、次の制御モードが含まれる。
【００３５】
ａ）画像が含まれる表示中に無操作で所定時間Ｔが経過した場合、画面の表示領域から画像が含まれていない領域に表示内容を制御する。所定時間Ｔはユーザが画像を視認でき、プライバシ保護に必要な他人の視認を回避できる程度の時間たとえば、５〔秒〕程度である。これにより、ユーザ以外の第三者に画像を視認されることの回避が可能となる。
【００３６】
ｂ）前記ａ）の処理を画面ロック前に行う。
【００３７】
ｃ）画面ロックを解除した際、画面の表示領域から画像が含まれていない領域の表示内容で表示を立ち上げる。これにより、画像表示がなく、ユーザ以外の第三者に画像を視認されることがない。
【００３８】
この画面の表示制御において、ａ）の処理を実行する前に画面ロックが実行されてもよい。この画面ロックの解除後、表示の復帰前に画面の表示領域から画像が含まれていない領域に表示内容を制御してもよい。
【００３９】
次に、図７は、メール本文２０や画像２６−１、２６−２などの情報を格納するメモリ構成の一例を示している。記憶部１４にはテキストメモリ３０−１、画像メモリ３０−２および画像表示メモリ３０−３が含まれる。テキストメモリ３０−１にはメール本文２０を格納する。画像メモリ３０−２には一例として画像２６−１、２６−２が格納される。画像表示メモリ３０−３には画面の表示画像２８の表示情報を格納する。この表示情報にはテキスト情報、画像情報が含まれる。つまり、図６のＢの場合、画像表示メモリ３０−３にテキスト情報および画像情報の双方が格納される。そして、この画像表示メモリ３０−３の格納情報は更新され、つまり、画面の表示画像２８の表示情報としてテキスト情報のみに更新される。
【００４０】
＜実施例１＞
【００４１】
この第２の実施の形態について、実施例１は、プライバシ設定しているメールアドレスから受信したメールに画像が含まれている場合における画面ロック前の画面スクロールを示している。図８は、この実施例１に係る処理の内容を示している。
【００４２】
図８のＡは、プライバシ設定をしているメールアドレスの「Ｐさん」からユーザが受信したメールのテキスト部２４の表示画面３２を示している。図８のＢは、ユーザがメールを読むため、表示画面３２をスクロールした結果、表示画面３２にメール本文２０に添付された画像２６が表示された状態である。
【００４３】
この実施例１ではたとえば、画像２６の表示から一定時間、たとえば、５〔秒〕間の無操作状態が継続すると、画面ロックに遷移する前に、図８のＣに示すように、画像２６を表示画面３２から見えなくなる位置まで自動スクロールする。
【００４４】
この自動スクロールの後、図８のＤに示すように、画面ロック状態に遷移し、表示画面３２を暗転させる。この場合、画面ロックは、表示画面３２の画面表示が非表示状態たとえば、消灯状態に切り替えられる。この非表示状態や消灯状態に代え、他の画面表示を行ってもよい。
【００４５】
そして、図８のＥは、画面ロックを解除した状態を示している。画面ロックを解除すると、表示が復帰する。この復帰により、表示画面３２には、図８のＥに示すように、画面ロックの遷移前の表示内容が表示され、画面ロックを解除しても画像２６は表示画面３２外に隠れている。
【００４６】
＜画面の表示制御の処理手順＞
【００４７】
この実施例１の画面の表示制御には、画面ロック監視、画面ロック前スクロールおよび画像表示判定が含まれる。図９は、画面ロック監視の処理手順を示している。この処理手順では、画面ロックボタン１８が押下されたかを判断する（Ｓ１０１）。画面ロックボタン１８が押下されていなければ（Ｓ１０１のＮＯ）、無操作状態が所定時間Ｔたとえば、５〔秒〕以上経過したかを判断する（Ｓ１０２）。
【００４８】
無操作状態が既述の５〔秒〕以上経過すれば（Ｓ１０２のＹＥＳ）、画面ロック前スクロールの処理を実行する（Ｓ１０３）。この処理は、図８のＣに示すスクロール処理である。
【００４９】
画面ロック前スクロールの後、画面ロックを実行したとえば、画面非表示を行い（Ｓ１０４）、画面ロック状態かを判断する（Ｓ１０５）。画面ロック状態であれば（Ｓ１０５のＹＥＳ）、画面ロック状態が解除されるまで待機状態となる。
【００５０】
画面ロック状態でなければ（Ｓ１０５のＮＯ）、画面ロック解除により画面表示を行い（Ｓ１０６）、画面ロック監視が停止されたかを判断する（Ｓ１０７）。
【００５１】
画面ロック監視が停止されなければ（Ｓ１０７のＮＯ）、Ｓ１０１に戻り、Ｓ１０１〜Ｓ１０７の処理を実行する。Ｓ１０２において、無操作がたとえば、５〔秒〕の経過前であれば（Ｓ１０２のＮＯ）、Ｓ１０１に戻り、無操作が５〔秒〕以上経過するまで待機状態とする。また、Ｓ１０１において、画面ロックボタン１８が押下されたと判断されれば（Ｓ１０１のＹＥＳ）、Ｓ１０２をスキップし、Ｓ１０３に移行する。
【００５２】
そして、Ｓ１０７において、画面ロック監視が停止されれば（Ｓ１０７のＹＥＳ）、この処理を終了する。
【００５３】
次に、図１０は、図９に示すフローチャートの画面ロック前スクロール（Ｓ１０３）の処理手順を示している。
【００５４】
この処理手順では、メール表示中かを判断する（Ｓ１１１）。メール表示中であれば（Ｓ１１１のＹＥＳ）、メールアドレスがプライバシ設定かを判断する（Ｓ１１２）。メールアドレスがプライバシ設定であれば（Ｓ１１２のＹＥＳ）、画像表示判定の処理を行う（Ｓ１１３）。
【００５５】
画像表示判定の後、スクロール可能か否かとして、スクロール可能＝ＹＥＳかを判定する（Ｓ１１４）。スクロール可能＝ＹＥＳであれば（Ｓ１１４のＹＥＳ）、表示開始位置、表示終了位置を基にスクロールを行う（Ｓ１１５）。
【００５６】
スクロール可能＝ＹＥＳでなければ（Ｓ１１４のＮＯ）、メール表示画面を閉じ（Ｓ１１６）、画面ロック前スクロール処理を終了する。
【００５７】
この画面ロック前スクロール処理において、メール表示中でなければ（Ｓ１１１のＮＯ）、Ｓ１１２〜Ｓ１１６の処理をスキップし、またはメールアドレスがプライバシ設定されていなければ（Ｓ１１２のＮＯ）、Ｓ１１３〜Ｓ１１６の処理をスキップし、画面ロック前スクロール処理を終了する。この実施例１においては、メール表示中でなければ、また、プライバシ設定されていなければ、メールに添付された画像によるプライバシ保護は不要となる。
【００５８】
次に、図１１は、図１０に示すフローチャートの画像表示判定（Ｓ１１３）の処理手順を示している。
【００５９】
この処理手順では、メール全表示画像２２の画像表示開始位置Ｇ１を取得する（Ｓ１２１）。メール全表示画像２２の表示終了位置Ｙ２を取得する（Ｓ１２２）。そして、Ｇ１は表示終了位置Ｙ２よりも上にあるかを判定する（Ｓ１２３）。Ｇ１がＹ２よりも上になければ（Ｓ１２３のＮＯ）、画像２６が存在しないので、Ｓ１２４〜Ｓ１２８をスキップし、この処理を終了する。
【００６０】
Ｇ１がＹ２よりも上にあれば（Ｓ１２３のＹＥＳ）、Ｙ２−Ｇ１は表示開始位置Ｙ１よりも小さいかを判定する（Ｓ１２４）。Ｙ２−Ｇ１がＹ１よりも小さければ（Ｓ１２４のＹＥＳ）、表示画面２８の表示開始位置をＹ１−（Ｙ２−Ｇ１）の位置に設定する（Ｓ１２５）。また、表示終了位置をＧ１の位置に設定する（Ｓ１２６）。そして、スクロール可能＝ＹＥＳとし（Ｓ１２７）、この処理を終了する。
【００６１】
また、Ｓ１２４において、Ｙ２−Ｇ１がＹ１よりも小さくなければ（Ｓ１２４のＮＯ）、スクロール可能＝ＮＯとし（Ｓ１２８）、この処理を終了する。
【００６２】
この実施例１によれば、メール本文２０にたとえば、画像２６が含まれている場合、所定時間Ｔでユーザは画像２６を視認することができる。
【００６３】
この実施例１では、この画像２６の視認中、ユーザは表示画面３２から画像２６が表示画面３２外にスクロールすることを確認できる。
【００６４】
この実施例１では、画面ロックを解除し、表示画面を復帰させても、画像２６が表示画面３２外にスクロールされた表示画面３２で復帰するので、画像２６は表示画面３２外に隠れており、第三者から画像２６を視認されることがない。
【００６５】
また、この実施例１では、メールアドレスのプライバシ設定と連動して自動的に表示画面３２のスクロールを行うことができる。
【００６６】
この実施例１によれば、画面ロック状態に遷移する場合、画像の表示座標をもとに、画像が表示画面から見えなくなるまで自動スクロールを行った後、画面ロックによる画面非表示（消灯）状態に移行させることができる。
【００６７】
また、プライバシを設定しているメールアドレスから受信した、画像を含むメールを表示中に画面ロック状態に遷移する場合に、画像が表示画面から見えなくなるまで自動スクロールを行って画面非表示（消灯）状態に制御できる。
【００６８】
＜実施例２＞
【００６９】
この実施例２の画面の表示制御には、実施例１と同様に画面ロック監視、画面ロック前スクロールおよび画面表示判定が含まれる。実施例２は、実施例１と同様にプライバシ設定しているメールアドレスから受信したメールに画像が含まれている場合に、画面ロックを先行して実行し、表示画面３２の復帰前に実行される画面スクロールを示している。図１２は、この実施例２に係る画面ロック監視の処理手順を示している。
【００７０】
図１２のＡは、プライバシ設定をしているメールアドレスの「Ｐさん」からユーザが受信したメールの表示画面３２を示している。図１２のＢは、ユーザがメールを読むため、表示画面３２をスクロールした結果、表示画面３２にメールに添付された画像２６が表示された状態である。
【００７１】
この実施例２ではたとえば、画像２６の表示から所定時間Ｔたとえば、５〔秒〕間の無操作状態が継続すると、図１２のＣに示すように、画面ロックに遷移する。画面ロックは、表示画面３２の画面表示を非表示状態たとえば、消灯状態とする。この非表示状態や消灯状態に代え、他の画面表示を行ってもよい。
【００７２】
この画面ロックの解除操作を行うと、図１２のＤに示すように、画像２６を表示画面３２から見えなくなる位置まで自動スクロールする。
【００７３】
これにより、表示画面３２には、図１２のＥに示すように、表示内容から画像２６が隠蔽されて表示され、画像２６は表示範囲外に隠れている。
【００７４】
この実施例２によれば、メールに画像２６が含まれている場合、画面ロックに遷移する前の所定時間Ｔの間にユーザは画像２６を視認することができる。
【００７５】
この実施例２では、画面ロックの解除で、ユーザが表示画面３２から画像２６が表示範囲外にスクロールすることを確認できる。
【００７６】
この実施例２では、画面ロックを解除しても、画像２６が表示範囲外にスクロールされた表示画面３２を表示するので、画像２６は表示範囲外に隠れており、第三者から画像２６を視認されることがない。
【００７７】
また、この実施例２においても、メールアドレスのプライバシ設定と連動して自動的に表示画面３２のスクロールを行うことができる。
【００７８】
図１３は、実施例２における画面ロック監視の処理手順を示している。この処理手順では、画面ロックボタン１８が押下されたかを判定する（Ｓ２０１）。画面ロックボタン１８が押下されなければ（Ｓ２０１のＮＯ）、無操作が一定時間たとえば、５〔秒〕以上かを判定する（Ｓ２０２）。無操作が一定時間たとえば、５〔秒〕未満であれば（Ｓ２０２のＮＯ）、Ｓ２０１を経てＳ２０２で待機状態となる。
【００７９】
画面ロックボタン１８が押下されない場合であっても（Ｓ２０１のＮＯ）、無操作が一定時間たとえば、５〔秒〕以上経過すれば（Ｓ２０２のＹＥＳ）、画面ロックとして画面非表示とする（Ｓ２０３）。また、画面ロックボタン１８が押下されれば（Ｓ２０１のＹＥＳ）、Ｓ２０２をスキップし、画面ロックとして画面非表示とする（Ｓ２０３）。そして、画面ロック状態かを判定する（Ｓ２０４）。画面ロック状態であれば（Ｓ２０４のＹＥＳ）、画面ロックとして画面非表示が維持される。
【００８０】
画面ロック状態でなければ（Ｓ２０４のＮＯ）、画面ロック解除前スクロールを実行し（Ｓ２０５）、画面ロック解除として画面表示を実行する（Ｓ２０６）。
【００８１】
画面ロック監視が停止されたかを判定する（Ｓ２０７）。画面ロック監視が停止されていなければ（Ｓ２０７のＮＯ）、Ｓ２０１〜Ｓ２０７の再処理を実行する。
【００８２】
そして、画面ロック監視の処理を停止すれば（Ｓ２０７のＹＥＳ）、この処理を終了する。
【００８３】
次に、図１４は、図１３に示すフローチャートの画面ロック解除前スクロール（Ｓ２０５）の処理手順を示している。
【００８４】
この処理手順では、ロック解除時メール表示中かを判定する（Ｓ２１１）。ロック解除時メール表示中でなければ（Ｓ２１１のＮＯ）、Ｓ２１２〜Ｓ２１７をスキップし、この処理を終了する。つまり、この実施例２においても実施例１と同様に、メール表示中でなければ、メールに添付された画像によるプライバシ保護は不要としている。
【００８５】
ロック解除時メール表示中であれば（Ｓ２１１のＹＥＳ）、メール内容を表示する（Ｓ２１２）。そして、メールアドレスはプライバシ設定かを判定する（Ｓ２１３）。メールアドレスがプライバシ設定でなければ（Ｓ２１３のＮＯ）、Ｓ２１４〜Ｓ２１７をスキップし、この処理を終了する。プライバシ設定がされていなければ、メールであってもまた、画像２６が添付されていても、プライバシ保護は不要である。
【００８６】
メールアドレスがプライバシ設定であれば（Ｓ２１３のＹＥＳ）、画像表示判定を実行する（Ｓ２１４）。この画像表示判定の後、スクロール可能であるか否かの判定としてスクロール可能＝ＹＥＳかを判定する（Ｓ２１５）。スクロール可能＝ＹＥＳであれば（Ｓ２１５のＹＥＳ）、表示開始位置、表示終了位置をもとにスクロールし（Ｓ２１６）、この処理を終了する。画像表示判定（Ｓ２１４）には、既述の表示判定の処理手順（図１１）を実行すればよく、その説明を割愛する。
【００８７】
スクロール可能＝ＹＥＳでなければ（Ｓ２１５のＮＯ）、メール表示画面を閉じ（Ｓ２１７）、この処理を終了する。
【００８８】
この実施例２によれば、実施例１と同様に、画面ロック状態からロック解除状態に遷移する場合、画像の表示座標をもとに、画像が表示画面から見えなくなるまで自動スクロールを行った後、画面ロック解除による画面表示状態にできる。
【００８９】
そして、ロック解除後、プライバシを設定しているメールアドレスから受信した、画像を含むメールが表示される場合、画像が表示画面から見えなくなるまで自動スクロールを行った後、画面ロック解除による画面表示状態にできる。
【００９０】
＜第２の実施の形態の効果＞
【００９１】
(1) 以上説明したように、画面に表示される領域に画像が含まれていると判断すると、画面ロックやディスプレイ消灯からの復帰前に、当該画像が含まれない領域を表示し、画像を隠すことができる。
【００９２】
(2) プライバシを設定しているメールアドレスから受信する画像を含むメールを表示中に、画面ロック状態に遷移する場合、画像の表示座標をもとに画像を表示範囲外に制御できる。
【００９３】
(3) 不用意に表示画面を復帰させても、表示していた写真などの画像を非表示とすることができ、プライバシを保護できる。
【００９４】
＜変形例＞
【００９５】
上記画面制御の処理手順について、次のような処理手順としてもよい。図１５は、画面制御の処理手順の変形例を示している。この処理手順では、メールを受信していれば、そのメール内容を表示する（Ｓ３０１）。このメール内容の表示を契機に、画面ロック状態への遷移通知があったかを判断する（Ｓ３０２）。画面ロック状態への遷移通知がなければ（Ｓ３０２のＮＯ）、Ｓ３０３〜Ｓ３０６をスキップする。
【００９６】
画面ロック状態への遷移通知があれば（Ｓ３０２のＹＥＳ）、メールアドレスがプライバシ設定されているかを判断する（Ｓ３０３）。メールアドレスがプライバシ設定されていなければ（Ｓ３０３のＮＯ）、Ｓ３０４〜Ｓ３０６をスキップする。
【００９７】
メールアドレスがプライバシ設定されていれば（Ｓ３０３のＹＥＳ）、画像表示判定の処理を行う（Ｓ３０４）。
【００９８】
画像表示判定の後、スクロール可能か否かとして、スクロール可能＝ＹＥＳかを判定する（Ｓ３０５）。スクロール可能＝ＹＥＳであれば（Ｓ３０５のＹＥＳ）、表示開始位置、表示終了位置を基にスクロールを行う（Ｓ３０６）。
【００９９】
スクロール可能＝ＹＥＳでなければ（Ｓ３０５のＮＯ）、メール表示画面を閉じ（Ｓ３０８）、この処理を終了する。
【０１００】
次に、図１６は、画面ロック監視（Ｓ３０４）の処理手順の変形例を示している。この処理手順では、無操作状態が所定時間Ｔたとえば、５〔秒〕以上経過したかを判断する（Ｓ３１１）。
【０１０１】
無操作状態が既述の５〔秒〕以上経過していなければ（Ｓ３１１のＮＯ）、画面ロックボタン１８が押下されたかを判断する（Ｓ３１２）。画面ロックボタン１８が押下されていなければ（Ｓ３１２のＮＯ）、画面ロックとして画面非表示とする（Ｓ３１３）。
【０１０２】
無操作状態が既述の５〔秒〕以上経過すれば（Ｓ３１１のＹＥＳ）、また、画面ロックボタン１８が押下されていれば（Ｓ３１２のＹＥＳ）、遷移通知を行い（Ｓ３１４）、Ｓ３１３に移行する。
【０１０３】
画面ロックの後、画面ロック状態かを判断する（Ｓ３１５）。画面ロック状態であれば（Ｓ３１５のＹＥＳ）、画面ロック状態が解除されるまで待機状態となる。
【０１０４】
画面ロック状態でなければ（Ｓ３１５のＮＯ）、画面ロック監視が停止されたかを判断する（Ｓ３１６）。
【０１０５】
画面ロック監視が停止されなければ（Ｓ３１６のＮＯ）、Ｓ３１１に戻り、Ｓ３１１〜Ｓ３１６の処理を実行する。そして、Ｓ３１６において、画面ロック監視が停止されれば（Ｓ３１６のＹＥＳ）、この処理を終了する。
【０１０６】
このような処理手順を用いても同様に、メールに画像が含まれている場合、その画像を表示範囲外に隠し、プライバシを保護することができる。
【０１０７】
〔他の実施の形態〕
【０１０８】
(1) 上記実施の形態では、メールに添付された画像に対するプライバシ保護について記載したが、表示装置に表示される情報として、メール以外の文字情報に画像情報が含まれた場合、その画像を隠す場合にも本開示の技術を適用することができる。
【０１０９】
(2) 上記実施の形態では、入力部６に画面ロックボタン１８を備えることを説明しているが、この画面ロックボタン１８はハードキーでもよく、画像に表示されたソフトキーのいずれでもよい。
【０１１０】
以上説明したように、表示装置および表示制御プログラムの最も好ましい実施の形態等について説明した。本開示の技術は、上記記載に限定されるものではない。特許請求の範囲に記載され、または発明を実施するための形態に開示された技術内容に基づき、当業者において様々な変形や変更が可能である。斯かる変形や変更が、本開示の範囲に含まれることは言うまでもない。
【符号の説明】
【０１１１】
２  表示装置
４  表示部
６  入力部
８  制御部
１０  情報処理装置
１２  プロセッサ
１４  記憶部
１６  通信部
１８  画面ロックボタン
２０  メール本文
２２  メール全表示画像
２４、２４−１、２４−２  テキスト部
２６、２６−１、２６−２  画像
２８  表示画像
３０−１  テキストメモリ
３０−２  画像メモリ
３０−３  画像表示メモリ
３２  表示画面
【図１】
2015215856.tif 000003
【図２】
2015215856.tif 000004
【図３】
2015215856.tif 000005
【図４】
2015215856.tif 000006
【図５】
2015215856.tif 000007
【図６】
2015215856.tif 000008
【図７】
2015215856.tif 000009
【図８】
2015215856.tif 000010
【図９】
2015215856.tif 000011
【図１０】
2015215856.tif 000012
【図１１】
2015215856.tif 000013
【図１２】
2015215856.tif 000014
【図１３】
2015215856.tif 000015
【図１４】
2015215856.tif 000016
【図１５】
2015215856.tif 000017
【図１６】
2015215856.tif 000018